(57)【要約】      （修正有）【課題】縦枠やガラス板を破損することなく、縦枠及びガラス板の左右方向の移動をも規制することのできるガラス板付き手摺を提供する。【解決手段】複数の支柱３を互いに間隔をあけて立設する。複数の支柱３の正面側に架け渡すよう上下に間隔をあけて上枠及び下枠を設ける。複数の縦枠６を支柱３の正面側に位置するよう上枠及び下枠間に設ける。上枠、下枠及び縦枠６によって囲まれる空間にガラス板７を配置する。縦枠６に、その背面部から突出する脚部８を形成する。支柱３に、その正面部から突出して縦枠６の脚部８を受ける枠座１０を形成する。脚部８と枠座１０との重ね部１１を、支柱３及び縦枠６とは別体の挟持具１２で挟持する。【選択図】図２
2020180479.tif 000002
【特許請求の範囲】
【請求項１】
互いに間隔をあけて立設された複数の支柱と、該複数の支柱の正面側に架け渡すよう上下に間隔をあけて設けられた上枠及び下枠と、前記支柱の正面側に位置するよう上枠及び下枠間に設けられた複数の縦枠とを備え、前記上枠、下枠及び縦枠によって囲まれる空間にガラス板が配置されたガラス板付き手摺であって、
前記縦枠に、その背面部から突出する脚部が形成されると共に、前記支柱に、その正面部から突出して縦枠の脚部を受ける枠座が形成され、脚部と枠座との重ね部が、支柱及び縦枠とは別体の挟持具によって挟持されたことを特徴とするガラス板付き手摺。
【請求項２】
前記脚部は、縦枠の背面部から左右両側に突出するよう形成され、前記枠座は、支柱から正面側に突出する左右一対の突片から左右方向で外向きに突出するよう形成され、左右の脚部と枠座との重ね部が、それぞれ別の挟持具によって挟持されたことを特徴とする請求項１に記載のガラス板付き手摺。
【請求項３】
前記枠座に、縦枠の左右方向への移動を規制するストッパーが形成されたことを特徴とする請求項１又は２に記載のガラス板付き手摺。
【請求項４】
前記脚部と前記枠座との間に、弾性材が介装されたことを特徴とする請求項１、２又は３に記載のガラス板付き手摺。
【発明の詳細な説明】
【技術分野】
【０００１】
本発明は、複数の支柱に上枠及び下枠を架け渡し、その上枠及び下枠と縦枠とで囲まれる空間にガラス板を配置した構造とされ、例えば、ベランダの外縁部に設置されるガラス板付き手摺に関するものである。
【背景技術】
【０００２】
一般に、ベランダの外縁部などには、人や物の落下を防止するための手摺が設置されており、さらに、手摺にガラス板を取り付けて、外部からの風雨の侵入を遮断することがある（例えば、特許文献１）。
【０００３】
特許文献１の手摺は、複数の支柱１０１に架け渡した上枠及び下枠間にガラス板１０２を取り付けると共に、ガラス板１０２の目地部にアルミ製目地枠（縦枠）１０３を取り付けた構造とされる。さらに、アルミ製目地枠１０３に被係止爪１０４を形成すると共に、支柱１０１に係止爪１０５を形成し、アルミ製目地枠１０３を一方向側から摺動させることによって、被係止爪１０４を係止爪１０５に係止させ、支柱１０１にアルミ製目地枠１０３を取り付けるようになっている。
【先行技術文献】
【特許文献】
【０００４】
【特許文献１】特開２０１０−２０９５９８（段落番号００２２、００２３、００２６、００２７、図１６（ｂ））
【発明の概要】
【発明が解決しようとする課題】
【０００５】
ところが、特許文献１におけるアルミ製目地枠（縦枠）は、その全体を左右方向に摺動させて、被係止爪を支柱の係止爪に係止させるので、アルミ製目地枠及びガラス板の前後方向の移動を十分に規制することができるものの、左右方向の移動の規制が不十分になりやすい。
【０００６】
これに対し、圧入によって被係止爪を係止爪に係止させることにより、アルミ製目地枠及びガラス板の左右方向の移動を強く規制することが考えられるが、その圧入の際にアルミ製目地枠やガラス板を破損するおそれがある。
【０００７】
本発明は、縦枠やガラス板を破損することなく、縦枠及びガラス板の左右方向の移動をも規制することのできるガラス板付き手摺の提供を目的とする。
【課題を解決するための手段】
【０００８】
上記目的を達成するために、本発明に係るガラス板付き手摺は、互いに間隔をあけて立設された複数の支柱と、この複数の支柱の正面側に架け渡すよう上下に間隔をあけて設けられた上枠及び下枠と、支柱の正面側に位置するよう上枠及び下枠間に設けられた複数の縦枠とを備え、上枠、下枠及び縦枠によって囲まれる空間にガラス板を配置したものであり、縦枠に、その背面部から突出する脚部を形成すると共に、支柱に、その正面部から突出して縦枠の脚部を受ける枠座を形成し、脚部と枠座との重ね部を、支柱及び縦枠とは別体の挟持具によって挟持したものである。
【０００９】
上記構成によれば、縦枠の脚部と支柱の枠座とを重ねて、その重ね部を支柱及び縦枠とは別体の挟持具によって挟持するので、縦枠自体に無理な力を加えることなく、支柱に縦枠を取り付けることができる。これにより、縦枠やガラス板を破損することなく、縦枠及びガラス板の前後方向の移動を規制すると共に、左右方向の移動をも規制することができる。
【００１０】
また、脚部を縦枠の背面部から左右両側に突出するよう形成し、枠座を支柱から正面側に突出する左右一対の突片から左右方向で外向きに突出するよう形成し、左右の脚部と枠座との重ね部を、それぞれ別の挟持具によって挟持するようにしてもよい。
【００１１】
この構成によると、脚部及び枠座を左右に設けて、左右の重ね部をそれぞれ別の挟持具によって挟持するので、一つの挟持具を用いる場合よりも、縦枠を強固に取り付けることができると共に、支柱に縦枠を安定して取り付けることができる。
【００１２】
また、枠座に、縦枠の左右方向への移動を規制するストッパーを形成するようにしてもよい。
【００１３】
この構成によると、支柱の枠座に形成したストッパーによって縦枠の左右方向への移動を規制するので、縦枠及びガラス板の前後方向の移動を挟持具で確実に規制した上で、縦枠及びガラス板の左右方向の移動をストッパーによって、より確実に規制することができる。
【００１４】
また、脚部と枠座との間に弾性材を介装するようにしてもよい。
【００１５】
この構成によると、脚部と枠座との重ね部を挟持具で挟持する際、挟持具の挟持部分の間隔に合わせて弾性材を変形させることができ、この弾性材の変形によって挟持部分の間隔のバラツキを吸収することができる。これにより、挟持具自体や脚部又は枠座の損傷を生じる程度まで強く挟持したり、挟持が外れたりするのを防止することができ、挟持具による挟持力のバラツキを抑えて、支柱に縦枠を安定して取り付けることができる。
【発明の効果】
【００１６】
以上のとおり、本発明によると、縦枠の脚部と支柱の枠座とを重ねて、その重ね部を支柱及び縦枠とは別体の挟持具によって挟持するようにしている。これにより、縦枠自体に無理な力を加えることなく、支柱に縦枠を取り付けることができ、縦枠やガラス板を破損することなく、縦枠及びガラス板の前後方向の移動を共に規制すると共に、左右方向の移動を規制することができる。
【図面の簡単な説明】
【００１７】
【図１】本発明に係るガラス板付き手摺の正面図
【図２】図１のＡ−Ａ断面図
【図３】図２の要部拡大図
【図４】縦枠及びガラス板を取り付ける手順を説明する図
【図５】従来のガラス板付き手摺の要部断面図
【発明を実施するための形態】
【００１８】
以下、本発明に係るガラス板付き手摺を実施するための形態について、図面を用いて説明する。
【００１９】
図１〜図３に示すように、ガラス板付き手摺１は、例えば、ベランダの外縁部２に設置して、人や物の落下を防止すると共に、外部からの風雨の侵入を遮断するためのものであり、互いに間隔をあけて立設された複数の支柱３と、複数の支柱３の正面側に架け渡すよう上下に間隔をあけて設けられた上枠４及び下枠５と、支柱３の正面側に位置するよう上枠４及び下枠５間に設けられた複数の縦枠６とを備え、上枠４、下枠５及び縦枠６によって囲まれる空間にガラス板７を配置したものである。さらに、縦枠６には、その背面部から左右両側に突出する脚部８が形成され、支柱３には、その正面部から正面側に突出する左右一対の突片９と、各突片９から左右方向で外向きに突出して縦枠６の脚部８を受ける枠座１０とが形成され、脚部８と枠座１０との左右の重ね部１１が、支柱３及び縦枠６とは別体の挟持具１２によって個別に挟持されている。
【００２０】
支柱３は、例えばアルミニウム製で、断面が中空かつ長方形の柱部材とされて、その正面に左右一対の突片９及び枠座１０が一体に形成され、それぞれの突片９及び枠座１０が左右方向で外向きのＬ形断面を構成している。
【００２１】
枠座１０には、その先端部を正面側に折曲した形状に突出するストッパー１３が形成され、縦枠６の脚部８を左右に挟むように位置して、縦枠６の左右方向への移動を規制するようになっている。
【００２２】
上枠４は、例えばアルミニウム製で、支柱３の頂部全体から正面側に突出する範囲を覆う部材幅に設定され、複数の支柱３に架け渡すように設けられている。上枠４のうちの支柱３よりも正面側に突出する部位の下面側には、ガラス板７の上縁を保持するガラス溝が形成されている。
【００２３】
下枠５は、例えばアルミニウム製で、複数の支柱３に架け渡すように設けられ、支柱３の正面部に取り付けられて正面側に突出している。下枠５のうちの支柱３よりも正面側に突出する部位の上面側には、上枠４のガラス溝と前後方向の位置を合わせてガラス溝が形成され、ガラス板７の下縁を保持している。
【００２４】
縦枠６は、例えばアルミニウム製で、正面板１４及び脚部８と両者を繋ぐ腹板１５とからなる断面Ｈ形の部材とされ、その脚部８を枠座１０に重ねて重ね部１１を構成するように支柱３の正面側に配置される。
【００２５】
正面板１４は、支柱３よりも幅狭で、支柱３の枠座１０に形成された両ストッパー１３の外間隔よりも僅かに幅広の板状とされて、その背面側にパッキン１６が取り付けられている。
【００２６】
脚部８は、支柱３の枠座１０に形成された両ストッパー１３の内間隔よりも僅かに幅狭の板状とされて、その背面にゴムやスポンジなどの弾性材１７が貼着され、枠座１０との間に弾性材１７を介装しつつ重ね部１１を構成する。脚部８の側縁部には、正面側に突出する係止爪１８が形成され、脚部８及び枠座１０の重ね部１１を挟持する挟持具１２の抜け出しを阻止するようになっている。
【００２７】
ガラス板７は、上下方向の寸法を上枠４及び下枠５の内間隔よりも大きく設定されると共に、左右方向の寸法を縦枠６の中心間隔よりも僅かに小さく設定された四角形状とされる。このガラス板７は、上枠４及び下枠５のガラス溝に嵌って上縁及び下縁を保持され、パッキン１６、シール材１９及び挟持具１２を介して、縦枠６の正面板１４と脚部８との間に側縁部を保持される。
【００２８】
挟持具１２は、例えばアルミニウム製で、正面片２０及び背面片２１を有する断面コ形の部材とされ、その正面片２０及び背面片２１で脚部８及び枠座１０の重ね部１１を挟持するように装着される。正面片２０の内縁部には、背面側に突出する被係止爪２２が形成され、脚部８の係止爪１８に係止されて、重ね部１１からの挟持具１２の抜け出しを阻止する。背面片２１の基端部から背面側に突出するよう、支柱３の正面に当接する当接片２３が形成され、挟持具１２のガタツキを阻止している。
【００２９】
次に、図４を参照し、縦枠６及びガラス板７を取り付ける手順を説明する。
【００３０】
まず、図４（ａ）に示すように、ガラス板７を上枠４及び下枠５のガラス溝に嵌め込んで、支柱３よりも右側に位置させた後、支柱３の正面側に縦枠６を配置する。
【００３１】
次いで、図４（ｂ）に示すように、縦枠６の脚部８を支柱３の枠座１０に重ねて、弾性材１７を介在させつつ重ね部１１を構成する。
【００３２】
図４（ｂ）〜図４（ｅ）に示すように、挟持具１２を左右方向で外側から押し込むようにして、この挟持具１２によって左右の重ね部１１を挟持し、支柱３の正面側に縦枠６を固定する。ここで、挟持具１２を押し込む際、脚部８と枠座１０との間の弾性材１７を圧縮変形させながら、正面片２０の被係止爪２２に、縦枠６の脚部８に形成された係止爪１８を乗り越えさせて、重ね部１１に挟持具１２を係止する。
【００３３】
図４（ｆ）に示すように、次のガラス板７を上枠４及び下枠５のガラス溝に嵌め込んで、先のガラス板７との間に縦枠６を挟むように、次のガラス板７を支柱３よりも左側に位置させる。その後、ガラス板７の側縁部と挟持具１２の正面片２０との間にシール材１９を配置し、パッキン１６、シール材１９及び挟持具１２を介して、縦枠６の正面板１４と脚部８との間にガラス板７の側縁部を保持し、縦枠６及びガラス板７の取り付けが完了する。
【００３４】
なお、本発明は、上記の実施の形態に限定されるものではなく、本発明の範囲内において、適宜変更を加えることができる。例えば、弾性材１７を設ける代わりに、挟持具１２の弾性変形によって、部材寸法のバラツキを吸収したり、被係止爪２２に係止爪１８を乗り越えさせたりするようにしてもよい。また、支柱３の枠座１０にストッパー１３を形成する代わりに、挟持具１２のみのよって、縦枠６の左右方向への移動を規制するようにしてもよい。また、左右に重ね部１１を構成して、各重ね部１１を挟持具１２で挟持する代わりに、一つの重ね部を構成して、これを挟持具で挟持するようにしてもよい。
【符号の説明】
【００３５】
１      ガラス板付き手摺
２      ベランダの外縁部
３      支柱
４      上枠
５      下枠
６      縦枠
７      ガラス板
８      脚部
９      突片
１０    枠座
１１    重ね部
１２    挟持具
１３    ストッパー
１４    正面板
１５    腹板
１６    パッキン
１７    弾性材
１８    係止爪
１９    シール材
２０    正面片
２１    背面片
２２    被係止爪
２３    当接片
【図１】
2020180479.tif 000003
【図２】
2020180479.tif 000004
【図３】
2020180479.tif 000005
【図４】
2020180479.tif 000006
【図５】
2020180479.tif 000007
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
互いに間隔をあけて立設された複数の支柱と、該複数の支柱の正面側に架け渡すよう上下に間隔をあけて設けられた上枠及び下枠と、前記支柱の正面側に位置するよう上枠及び下枠間に設けられた複数の縦枠とを備え、前記上枠、下枠及び縦枠によって囲まれる空間にガラス板が配置されたガラス板付き手摺であって、
前記縦枠に、その背面部から左右両側に突出する脚部が形成されると共に、前記支柱に、その正面部から正面側に突出する左右一対の突片と、各突片から左右方向で外向きに突出して縦枠の脚部を受ける枠座とが形成され、左右の脚部と枠座との重ね部が、それぞれ別で、かつ支柱及び縦枠とは別体の挟持具によって挟持されたことを特徴とするガラス板付き手摺。
【請求項２】
前記枠座に、縦枠の左右方向への移動を規制するストッパーが形成されたことを特徴とする請求項１に記載のガラス板付き手摺。
【請求項３】
前記脚部と前記枠座との間に、弾性材が介装されたことを特徴とする請求項１又は２に記載のガラス板付き手摺。
【手続補正２】
【補正対象書類名】明細書
【補正対象項目名】０００８
【補正方法】変更
【補正の内容】
【０００８】
上記目的を達成するために、本発明に係るガラス板付き手摺は、互いに間隔をあけて立設された複数の支柱と、この複数の支柱の正面側に架け渡すよう上下に間隔をあけて設けられた上枠及び下枠と、支柱の正面側に位置するよう上枠及び下枠間に設けられた複数の縦枠とを備え、上枠、下枠及び縦枠によって囲まれる空間にガラス板を配置したものであり、縦枠に、その背面部から左右両側に突出する脚部を形成すると共に、支柱に、その正面部から正面側に突出する左右一対の突片と、各突片から左右方向で外向きに突出して縦枠の脚部を受ける枠座とを形成し、左右の脚部と枠座との重ね部を、それぞれ別で、かつ支柱及び縦枠とは別体の挟持具によって挟持したものである。
【手続補正３】
【補正対象書類名】明細書
【補正対象項目名】００１０
【補正方法】変更
【補正の内容】
【００１０】
また、上記発明では、脚部を縦枠の背面部から左右両側に突出するよう形成し、枠座を支柱から正面側に突出する左右一対の突片から左右方向で外向きに突出するよう形成し、左右の脚部と枠座との重ね部を、それぞれ別の挟持具によって挟持するようにしている。